【手続補正書】
【提出日】平成23年5月2日(2011.5.2)
【手続補正１】
【補正対象書類名】特許請求の範囲
【補正対象項目名】全文
【補正方法】変更
【補正の内容】
【特許請求の範囲】
【請求項１】
分光装置において、
散乱された光のスペクトラムを作り出すように検体を照射するための光源と、
投射光の強度に応じてデータをそれぞれ蓄積する少なくとも一つの列または行の検出素子と、該検出素子からのデータを受け入れるための一列の記憶要素を備える出力レジスタとを含む検出器であって、前記散乱された光を検出するための検出器と、
前記検体から受け取られた前記スペクトラムを分解し、前記検出器に沿って該スペクトラムを分散させるための分散素子と、を含み、
前記装置は、前記スペクトラムが分散方向に移動するように前記分散素子を作動させるように構成され、
前記出力レジスタは、分散方向に対し平行に配され、
前記装置は、前記スペクトラムの移動に同期し、データが前記出力レジスタ中を移動するにつれて前記スペクトラムの中の所定の波数についてのデータが蓄積し続くように、前記出力レジスタの一つの記憶要素から次の記憶要素にデータを移動するように構成されることを特徴とする分光装置。
【請求項２】
前記装置は、一行または一列の前記検出素子を前記スペクトラムの少なくとも一部に対しさらし、該一行または一列の該検出素子からのデータを前記出力レジスタの対応する記憶要素に読み込むように構成される請求項１記載の分光装置。
【請求項３】
前記露光は、繰り返され、データは、前記スペクトラムが移動中、前記出力レジスタにおける対応する記憶要素に読み込まれる請求項２記載の分光装置。
【請求項４】
前記分散素子は、連続的に動く請求項１乃至請求項３のうちのいずれかに記載の分光装置。
【請求項５】
前記検出器は、二次元配列の前記検出素子を含む請求項１に記載の分光装置。
【請求項６】
前記検出器は、電荷結合素子である請求項５記載の分光装置。
【請求項７】
前記複数の行または列の検出素子が、前記スペクトラムに対しさらされ、該複数の行または列からのデータが、前記出力レジスタ内に一緒に格納される請求項５または請求項６記載の分光装置。
【請求項８】
前記装置は、第１の組の行または列の検出素子からのデータが前記出力レジスタ内に一緒に格納された後、該出力レジスタから離隔した第２の組の行または列の検出素子からのデータを移動させるように構成される請求項７記載の分光装置。
【請求項９】
検出器列を電荷消去するように構成される請求項５記載の分光装置。
【請求項１０】
全検出器列を電荷消去するように構成される請求項９記載の分光装置。
【請求項１１】
電荷を前記出力レジスタから離れる方向に移動することにより、電荷が、前記検出器から消去される請求項９記載の分光装置。
【請求項１２】
ｎ行または列からのデータを前記出力レジスタに移動し、それから、前記検出器列におけるｎ＋１行または列を電荷消去するように構成される請求項５記載の分光装置。
【請求項１３】
前記電荷結合素子において使用されていない部分を電荷消去するように構成される請求項６記載の分光装置。
【請求項１４】
散乱された光のスペクトラムを作り出すように検体を照射するための光源と、投射光の強度に応じてデータをそれぞれ蓄積する少なくとも一つの列または行の検出素子と、分散方向に対し平行に配され、該検出素子からのデータを受け入れるための一列の記憶要素を備える出力レジスタとを含む検出器であって、前記散乱された光を検出するための検出器と、前記検体から受け取られた前記スペクトラムを分解し、前記検出器に沿って該スペクトラムを分散させるための分散素子と、を含む分光装置の操作方法において、
前記少なくとも一つの列または行の検出素子を、前記散乱された光のスペクトラムに対し曝し、
前記少なくとも一つの列または行の検出素子からのデータを前記出力レジスタに移動させ、
前記散乱された光のスペクトラムが前記分散方向に移動するように前記分散素子を移動させ、
前記散乱された光のスペクトラムの移動に同期し、データが前記出力レジスタ中を移動するにつれて前記スペクトラムの中の所定の波数についてのデータが蓄積し続くように、前記出力レジスタの一つの記憶要素からのデータを次に記憶素子に移動させることを含む分光装置の操作方法。
【請求項１５】
前記検出器列の電荷を消去する工程をさらに含む請求項１４記載の方法。
【請求項１６】
前記検出器列の電荷を消去する工程は、前記出力レジスタから離れるように充電を移動することを含む請求項１５記載の方法。
【請求項１７】
前記分光装置の前記検出器は、二次元配列の検出素子を含み、前記少なくとも一つの列または行の検出素子を、前記散乱された光のスペクトラムに対し曝す工程は、第１の組の列または行の検出素子を、前記散乱された光のスペクトラムに対し曝すことを含み、前記少なくとも一つの列または行の検出素子からのデータを前記出力レジスタに移動させる工程は、前記第１の組の列または行の検出素子からのデータを前記出力レジスタ内に一緒に格納することを含む請求項１４記載の方法。
【請求項１８】
前記第１の組の列または行の検出素子からのデータが前記出力レジスタ内に一緒に格納された後、第２の組の列または行の検出素子からのデータを前記出力レジスタから離れるように移動することを含む請求項１７記載の方法。
【請求項１９】
散乱された光のスペクトラムを作り出すように検体を照射するための光源と、前記散乱された光を検出するための検出器であって、投射光の強度に応じてデータをそれぞれ蓄積する少なくとも一つの列または行の検出素子を含む検出器と、分散方向に対し平行に配され前記検出素子からのデータを受け入れる一行の記憶要素を含む出力レジスタと、前記検体から受け取られた前記スペクトラムを分解し、前記検出器に沿って該スペクトラムを分散させるための分散素子と、を含む分光装置の操作方法において、
複数の行または列の前記検出素子を前記出力レジスタに入れ、該複数の行または列の前記検出素子の電荷を消去することを含む方法。
【請求項２０】
前記複数の行または列の前記検出素子の電荷を消去することは、前記出力レジスタから離れるように電荷を移動することを含む請求項１９記載の方法。
【手続補正２】
【補正対象書類名】明細書
【補正対象項目名】０００５
【補正方法】変更
【補正の内容】
【０００５】
この方法は、コンピューター内で、後でスペクトラムの一部を組み合わせる必要がなく
、均一にデータを収集できる利点を有している。さらに、そのスペクトラムの各画素がＣ
ＣＤから一回だけ読み出されるのでリードアウトノイズ（ｒｅａｄｏｕｔ  ｎｏｉｓｅ）
が各画素に一回だけ加えられる。また、上述の米国特許第５，６８９，３３３号の方法は、Ｊｏｕｒｎａｌ  ｏｆ  Ｒａｍａｎ  Ｓｐｅｃｔｒｏｓｃｏｐｙ（ｖｏｌ．２６，７７７−７８５（１９９５））における「Ａｐｐｌｉｃａｔｉｏｎ  ｏｆ  ｃｏｎｔｉｎｕｏｕｓ  ｅｘｔｅｎｄｅｄ  ｓｃａｎｎｉｎｇ  ｔｅｃｈｎｉｑｕｅ  …」において、Ｄｙｅｒ等によって説明されている。
【手続補正３】
【補正対象書類名】明細書
【補正対象項目名】０００６
【補正方法】変更
【補正の内容】
【０００６】
【特許文献１】米国特許第５６８９３３３号明細書
【特許文献２】国際公開第ＷＯ２００８／０９０３５０号パンフレット
【非特許文献１】Ｄｙｅｒ等、Ｊｏｕｒｎａｌ  ｏｆ  Ｒａｍａｎ  Ｓｐｅｃｔｒｏｓｃｏｐｙ（ｖｏｌ．２６，７７７−７８５（１９９５））
【手続補正４】
【補正対象書類名】明細書
【補正対象項目名】０００８
【補正方法】変更
【補正の内容】
【０００８】
代替案が役に立つ場合の一つは、電荷がＣＣＤ内で転送される方向が、スペクトラムの
分散の方向に対し直交する位置にあるように、ＣＣＤが装置内に取り付けられている場合
である。その場合は、例えば、国際公開第ＷＯ２００８／０９０３５０号に記載されている装置に当てはまる。
【手続補正５】
【補正対象書類名】明細書
【補正対象項目名】００１１
【補正方法】変更
【補正の内容】
【００１１】
そして、米国特許第５，６８９，３３３号および上述のＤｙｅｒ等による刊行物と大いに違って、そのデータは、一行または一列の検出素子ではなく、出力レジスタ内でスペクトラムの移動に同期して移動され、蓄積される。これは、出力レジスタに向けて検出要素からのデータのいずれかの移動方向に対し直交して行われる。